(57)【要約】【課題】設計上の自由度を向上することができる計器装置を得ること。【解決方法】回路基板１の背面側に装着され回路基板１を貫通して前面側に延びる駆動軸２を有する計器本体３と、駆動軸２の先端側に装着される指針４と、この指針４の後方に配置され指針４の動きに対応する第1の表示部５２ａ及び当該第1の表示部５２ａよりも駆動軸２側に位置する第２の表示部５２ｂを有する前面パネル５と、この前面パネル５と回路基板１との間に配置される反射体７と、回路基板１の駆動軸２周囲に配置される光源６とを備え、反射体７は、光源６と対向して光源６からの照明光を駆動軸２から遠ざかる方向に反射させる第１の反射部７３と、前面パネル５と回路基板１との間に光源６を取り巻くように配置され照明光を第1の表示部５２ａに反射する第２の反射部７４と、第２の反射部７４で反射された照明光を第２の表示部５２ｂ側に反射させる第３の反射部７５を設けた。【選択図】図２
2010054252.tif 000002
【特許請求の範囲】
【請求項１】
回路基板と、この回路基板の背面側に装着され前記回路基板を貫通して前面側に延びる駆動軸を有する計器本体と、前記駆動軸の先端側に装着される指針と、この指針の後方に配置され前記指針の動きに対応する第1の表示部及び当該第1の表示部よりも前記駆動軸側に位置する第２の表示部を有する前面パネルと、この前面パネルと前記回路基板との間に配置される反射体と、前記回路基板の前記駆動軸周囲に配置される光源とを備え、前記反射体は、前記光源と対向して前記光源からの照明光を前記駆動軸から遠ざかる方向に反射させる第１の反射部と、前記前面パネルと前記回路基板との間に前記光源を取り巻くように配置され前記照明光を前記第1の表示部に反射する第２の反射部と、前記第２の反射部で反射された前記照明光を前記第２の表示部側に反射させる第３の反射部を設けたことを特徴とする計器装置。
【請求項２】
前記第２の反射部は前記駆動軸から遠ざかるに従って前記前面パネルとの距離が小さくなる反射壁からなり、前記第３の反射部は前記駆動軸から遠ざかるに従って前記前面パネルとの距離が大きくなる反射壁からなることを特徴とする計器装置。
【発明の詳細な説明】
【技術分野】
【０００１】
本発明は、例えば車両に搭載される計器装置に関して、特に表示板の後方に反射体を備えた計器装置に関するものである。
【背景技術】
【０００２】
従来の計器装置として、例えば特許文献１に記載のものがある。この計器装置は回路基板と、回路基板に配置され駆動軸が前方側に伸びる計器本体と、駆動軸の先端側に装着される指針と、指針と回路基板との間に設けられ、指針が指示する第１の表示部及び第１の表示部よりも駆動軸側に位置する第２の表示部とを有する前面パネルと、第１の表示部よりも駆動軸側に位置する回路基板の前方側に配置され少なくとも第１，第２の表示部を照明する光源と、前面パネルと回路基板との間に配置される反射体とを備えたものが知られている。
【０００３】
反射体は光源と対向し光源からの照明光を前記駆動軸から遠ざかる方向に反射する第１の反射部と、光源の周囲に位置し、前面パネルとは適宜空間を空けて外側に延長し光源からの照明光を第１，第２の表示部側に反射させる第２の反射部とを有しており、第２の表示部は第１の反射部付近に設けられている。
【特許文献１】特開２００１―１７４２９３号公報
【発明の開示】
【発明が解決しようとする課題】
【０００４】
しかしながら、特許文献１記載の計器装置においては、第２の表示部と第１の反射部との位置関係によっては第２の表示部を適切に照明することが難しく、そのため、第２の表示部の位置が制約されてしまうことがある。    
【０００５】
即ち、第２の表示部が第１の反射部の真上よりも外側（第１の表示部側）に位置する場合は、光源からの照明光を直接受けることになるため、強力な反射光によって輝度が強くなりすぎる。また、第２の表示部が第１の反射部の真上に位置する場合は、第１の反射部が障害となって光源からの照明光が遮られてしまうため、暗くなりやすく、十分な輝度が得られない。
【０００６】
このような事情から、第２の表示部を本来配置したい位置に設けることができず、その配設位置が限られてしまうなど、表示部の位置が制約され設計上の自由度が制限されてしまう。
【０００７】
本発明は、この様な点に鑑みなされたもので、反射体を有する計器装置において、設計上の自由度を向上することができる計器装置を提供することを目的とする。
【課題を解決するための手段】
【０００８】
本発明は前記課題を解決するため、回路基板と、この回路基板の背面側に装着され前記回路基板を貫通して前面側に延びる駆動軸を有する計器本体と、前記駆動軸の先端側に装着される指針と、この指針の後方に配置され前記指針の動きに対応する第1の表示部及び当該第1の表示部よりも前記駆動軸側に位置する第２の表示部を有する前面パネルと、この前面パネルと前記回路基板との間に配置される反射体と、前記回路基板の前記駆動軸周囲に配置される光源とを備え、前記反射体は、前記光源と対向して前記光源からの照明光を前記駆動軸から遠ざかる方向に反射させる第１の反射部と、前記前面パネルと前記回路基板との間に前記光源を取り巻くように配置され前記照明光を前記第1の表示部に反射する第２の反射部と、前記第２の反射部で反射された前記照明光を前記第２の表示部側に反射させる第３の反射部を設けたことを特徴とする。
【０００９】
このように構成することにより、第３の反射部で第２の表示部を適切に照明することができ、これにより設計上の自由度を向上することができる。
【００１０】
また本発明は、前記第２の反射部は前記駆動軸から遠ざかるに従って前記前面パネルとの距離が小さくなる反射壁からなり、前記第３の反射部は前記駆動軸から遠ざかるに従って前記前面パネルとの距離が大きくなる反射壁からなることを特徴とする。
【００１１】
このように構成することにより、第３の反射部で第２の表示部を効率よく照明することができる。
【発明の効果】
【００１２】
本発明によれば、設計上の自由度を向上することができる計器装置を得ることができる。
【発明を実施するための最良の形態】
【００１３】
以下、本発明実施形態を添付の図面に基づいて説明する。図１は本発明の第１の実施形態における計器装置の前方側要部を示す平面図である。図２は図１のＡ-Ａ断面図である。
【００１４】
図１，図２において、本実施形態による計器装置は、回路基板１と、この回路基板１に導通固定された駆動軸２が前方に延びる計器本体３と、駆動軸２の先端に装着される指針４と、この指針４の計器本体３側に配設される前面パネル５と、駆動軸２の周囲に複数配設される光源６と、前面パネル５と回路基板１との間に設けられる反射体７とから主に構成される。
【００１５】
回路基板１は、例えばガラスエポキシ基材に配線パターン（図示せず）を施した硬質の回路基板からなり、計器本体３と光源６に電力供給を行う回路パターン（図示せず）を有する。
【００１６】
計器本体３は、例えばステッピングモータを適用でき、駆動軸２を有し、この駆動軸２の先端に指針４が連結される。また計器本体３は、その本体部が回路基板１の背面側に位置し、駆動軸２が回路基板１を貫通して前方側に延びている。
【００１７】
指針４は、例えば指示部４１が透過性合成樹脂から形成される発光指針を適用でき、前面パネル５に施された指標部（図示せず）を指示する。
【００１８】
前面パネル５は、例えば透過性合成樹脂からなる薄板状基材にスクリーン印刷を施してなるものであり、前面パネル５には指針４の回動軌道に沿って指示対象となる目盛や文字、マークなどが環状に印刷された第１の表示部５２ａと、この第１の表示部５２ａと指針４の回動中心部Ｒとの間に位置する速度計の単位などが印刷された第２の表示部５２ｂとを備えている。また前面パネル５の中心部には駆動軸２が貫通する貫通穴５３が形成されている。
【００１９】
光源６は、回路基板１の前方側に配置された例えばチップ型発光ダイオードからなり、駆動軸２周辺に駆動軸２を中心として同心円上に複数配置される指針用光源６１と、同じく駆動軸２を中心として指針用光源６１の外側に同心円上にて複数配置される前面パネル用光源６２とから構成されている。
【００２０】
反射体７は、白色系の合成樹脂にてケース体状に形成された射出成形体からなり、前面パネル５の貫通穴５３に対応した開口部を有して前面パネル５と回路基板１との間に伸長する筒状の仕切部７１と、仕切部７１の中程から連続して駆動軸から遠ざかる方向に伸長するフランジ部７２と、フランジ部７２の端部に設けられた、前面パネル用光源６２からの照明光を後述する第２の反射部へ反射させる第１の反射部７３と、その前面パネル用光源６２を取り巻くように前面パネルの外周縁に向かうに従って次第に傾斜が大きくなる平面に形成された第２の反射部７４と、第２の反射部７４より反射された照明光を第２の表示部５２ｂへ反射させる第３の反射部７５とから構成されている。
【００２１】
第１の反射部７３は、フランジ部７２の端部に一体形成されたものであり、前面パネル用光源６２から第２の表示部５２ｂに向かう照明光を遮るとともに、その照明光を駆動軸から遠ざかる方向、即ち、第２の反射部７４方向に反射させるために、前面パネル用光源６２と第２の表示部５２ｂとの中間に配置されている。
【００２２】
第２の反射部７４は、前面パネル用光源６２の周囲を取り巻くように前面パネル５とは空気層Ｓを隔てて駆動軸から遠ざかる方向に延長し、第１の反射部７３にて反射された照明光を第１の表示部５２ａ側に反射させるように形成されている。
【００２３】
第３の反射部７５は、駆動軸２から遠ざかるに従って前面パネル５との距離が大きくなる反射壁からなり、図２に示すように、第２の反射部で反射された照明光を第２の表示部５２ｂ側に反射させるように形成されている。
【００２４】
このような構成において、指針用光源６１が発光すると、その照明光は、仕切部７１の指針用光源６１側内壁面によって前方側に案内され、前面パネル５の貫通穴５３を通じて指針４の回動中心部Ｒに供給され、これにより指針４の指示部４１が照明される。一方、前面パネル用光源６２が発光すると、その照明光は第１の反射部７３により駆動軸２から遠ざかる方向に放射状に反射され、このように反射された照明光は第２の反射部７４によって反射され、第１の表示部５２ａを照明する。また、第２の反射部７４で反射された照明光の一部は第３の反射部７５にて更に反射され、第２の表示部５２ｂに至り、この部分を照明する。
【００２５】
以上のように、本実施例によれば、回路基板１と、この回路基板１の背面側に装着され回路基板１を貫通して前面側に延びる駆動軸２を有する計器本体３と、駆動軸２の先端側に装着される指針４と、この指針４の後方に配置される指針４の動きに対応する表示部を有する前面パネル５と、この前面パネル５と回路基板１との間に配置される反射体７と、回路基板１の駆動軸２周囲に配置される光源６とを備え、反射体７は光源６と対向して光源６からの照明光を外周に反射させる第１の反射部７３と、前面パネル５と回路基板１との間に光源６を取り巻くように配置される第２の反射部７４とを有し、第１の反射部７３には第２の反射部７４で反射された照明光を表示部側に反射させる第３の反射部７５を設けたことによって、第１の反射部７３の上方に配置される第２の表示部５２ｂを適切に照明することができるため、設計上の自由度を向上することができる。
【００２６】
また、本実施例によれば、第２の反射部７４は駆動軸２から遠ざかるに従って前面パネル５との距離が小さくなる反射壁からなり、第３の反射部７５は駆動軸２から遠ざかるに従って前面パネル５との距離が大きくなる反射壁からなることによって、第２の反射部７４で拡散反射された照明光を第２の表示部５２ｂ側に反射させやすくなり、第２の表示部５２ｂを効率よく照明することができる。
【００２７】
なお、本実施形態では第２の表示部５２ｂを一カ所としているが、意匠の数や大きさによって、第１の反射部７３及び第３の反射部７５を増やすなど、表示部に対応した箇所に配置すればよく、個数や大きさなどは任意である。  
【図面の簡単な説明】
【００２８】
【図１】本発明の第１実施形態における計器装置の前方側要部を示す平面図。
【図２】図１のＡ−Ａ断面図。
【符号の説明】
【００２９】
１      回路基板
２      駆動軸
３      計器本体
４      指針
５      前面パネル
６      光源
７      反射体
４１    指示部
５２ａ  第１の表示部
５２ｂ  第２の表示部
５３    貫通穴
６１    指針用光源
６２    前面パネル用光源
７１    仕切部
７２    フランジ部
７３    第１の反射部
７４    第２の反射部
７５    第３の反射部
Ｒ      回転中心部  
Ｓ      空気層  
【図１】
2010054252.tif 000003
【図２】
2010054252.tif 000004